(57)【要約】【課題】同様構造の組立式の棚モジュールを自由なレイアウトで積み重ねたり連結させることのできる組立式の収納棚を提供する。【解決手段】横断面がコの字形である一対の覆体（１Ａ，１Ｂ）と、前記２つ覆体の側壁端部を対向させた状態で保持する固定具とを少なくとも備えた組立式の棚モジュールであって、前記固定具は、前記覆体両側壁と同等の長さを有し、前記各覆体の側壁端部と係合可能な係合溝（２０ａ〜ｄ）が長手方向に沿って９０度ピッチで４箇所設けられた２本の棒状部材（２Ａ，２Ｂ）と、前記各棒状部材の何れかの係合溝に前記覆体の端部を係合させた状態で、前記棒状部材の両端部に係合されて前記覆体の端部を締め付けて固定する締付具（例えば、オーリング４とスクリューネジ５）とから構成される。【選択図】  図１
0003106908.tif 000002
【実用新案登録請求の範囲】
【請求項１】
横断面がコの字形である一対の覆体と、前記２つ覆体の側壁端部を対向させた状態で保持する固定具とを少なくとも備えた組立式の棚モジュールであって、
前記固定具は、
前記覆体両側壁と同等の長さを有し、前記各覆体の側壁端部と係合可能な係合溝が長手方向に沿って９０度ピッチで４箇所設けられた２本の棒状部材と、
前記各棒状部材の何れかの係合溝に前記覆体の端部を係合させた状態で、前記棒状部材の両端部に係合されて前記覆体の端部を締め付けて固定する締付具と、
から構成されていることを特徴とする組立式の棚モジュール。  
【請求項２】
前記棒状部材の両端部と前記各覆体の両側端部には、当該棒状部材の前記係合溝に前記覆体の端部を係合させた際に、連続した環状の溝を形成する窪み部がそれぞれ形成され、前記締付具は前記連続した環状の溝に嵌合可能な環状突起を有する嵌合部材を備え、該嵌合部材が前記環状の溝に嵌合されることで覆体の端部が棒状部材の係合溝から抜け出ないように固定されることを特徴とする請求項１に記載の組立式の棚モジュール。  
【請求項３】
前記棒状部材の両端面にはネジ穴が穿設され、
前記締付具は前記連続した環状の溝に嵌合可能な環状突起を有する嵌合部材と、前記ネジ穴に螺合可能なネジ部材を備え、前記嵌合部材は該ネジ部材の頭部と前記棒状部材の端面との間に介在されることを特徴とする請求項２に記載の組立式の棚モジュール。  
【請求項４】
前記嵌合部材は、ゴムまたは樹脂製のオーリングで構成されていることを特徴とする請求項３に記載の組立式の棚モジュール。  
【請求項５】
前記締付具は、前記ネジ部材の頭部の前記棒状部材と対向する面に環状の突起を一体的に形成して構成されていることを特徴とする請求項２に記載の組立式の棚モジュール。  
【請求項６】
少なくとも一方の前記覆体の上面または下面には、他の棚モジュールを載置可能な載置部あるいは脚部を形成する台座部材が取り付けられていることを特徴とする請求項１から請求項５の何れかに記載の組立式の棚モジュール。  
【請求項７】
前記台座部材は、前記覆体の上面または下面において所定の間隔を置いて前記棒状部材と平行に配設される一対のレール状部材と、当該各レール状部材の両端部と前記覆体の両側端部とに係合されて固定する固定具とから構成されていることを特徴とする請求項６に記載の組立式の棚モジュール。  
【請求項８】
前記２本の棒状部材の対向する内側の係合溝に両側端が係合され分離棚を構成する棚板部材を備えることを特徴とする請求項１から請求項７の何れかに記載の組立式の棚モジュール。
【請求項９】
請求項１から請求項８の何れかに記載の組み立てた状態の棚モジュールを２個以上積み重ねて、各モジュール間を固定具によって固定したことを特徴とする組立式の収納棚。
【請求項１０】
垂直方向に前記棚モジュールを積み重ねた状態の複数の棚間において、各棚のモジュールの対向する側部にて前記覆体の外側に露出している係合溝に、板状の接合部材の端部をそれぞれ係合させて、前記複数の棚モジュールを水平方向に連結させたことを特徴とする請求項９に記載の組立式の収納棚。
【請求項１１】
前記板状の接合部材は、前記棚板部材で構成されることを特徴とする請求項１０に記載の組立式の収納棚。
【考案の詳細な説明】
【技術分野】
【０００１】
本考案は、各種商品や物品を載置して展示する陳列棚等として使用できる収納棚に関し、特に同様構造の棚モジュールを自由なレイアウトで積み重ねたり連結することのできる組立式の収納棚に関する。
【背景技術】
【０００２】
従来から組立式の収納棚として、多数の製品が存在している。
収納棚の組立方式は多種多様であるが、例えば図１７に示すようなものがある。
図１７に示す組立式の収納棚Ｔは、キューブ型の棚モジュールＭを複数個、積み上げたり、並設して構成されるものである。
【考案の開示】
【考案が解決しようとする課題】
【０００３】
ところで、従来の棚モジュールＭは、工場出荷時点でキューブ型に成形あるいは組立されているため輸送効率が悪く、コスト高になるという問題があった。
また、特に棚モジュールＭをアクリル樹脂の一体成形品とした場合には、加工が難しく、製造コストが高騰するという問題もあった。
【０００４】
また、棚モジュールＭは単に積み上げられるだけであり、不安定であるという不都合もあった。
さらにまた、棚モジュールＭの上面または下面が直に接触するため、表面にキズがつき易く、美観を損なうという問題もあった。
【０００５】
本考案は、上記問題点を解決すべく案出されたものであり、輸送コストを抑えることができ、同様構造の組立式の棚モジュールを自由なレイアウトで安定して積み重ねたり連結させることのできる組立式の収納棚を提供することを目的とする。
【課題を解決するための手段】
【０００６】
上記目的を達成するために、この考案は、横断面がコの字形である一対の覆体（１Ａ，１Ｂ）と、前記２つ覆体の側壁端部を対向させた状態で保持する固定具とを少なくとも備えた組立式の棚モジュールであって、前記固定具は、前記覆体両側壁と同等の長さを有し、前記各覆体の側壁端部と係合可能な係合溝（２０ａ〜ｄ）が長手方向に沿って９０度ピッチで４箇所設けられた２本の棒状部材（２Ａ，２Ｂ）と、前記各棒状部材の何れかの係合溝に前記覆体の端部を係合させた状態で、前記棒状部材の両端部に係合されて前記覆体の端部を締め付けて固定する締付具（例えば、オーリング４とスクリューネジ５）とから構成されるようにした。
【０００７】
また、前記棒状部材の両端部と前記各覆体の両側端部には、当該棒状部材の前記係合溝に前記覆体の端部を係合させた際に、連続した環状の溝を形成する窪み部がそれぞれ形成され、前記締付具は前記連続した環状の溝に嵌合可能な環状突起を有する嵌合部材を備え、該嵌合部材が前記環状の溝に嵌合されることで覆体の端部が棒状部材の係合溝から抜け出ないように固定されるようにできる。
【０００８】
また、前記棒状部材の両端面にはネジ穴が穿設され、前記締付具は前記連続した環状の溝に嵌合可能な環状突起を有する嵌合部材と、前記ネジ穴に螺合可能なネジ部材を備え、前記嵌合部材は該ネジ部材の頭部と前記棒状部材の端面との間に介在されるようにできる。
【０００９】
また、前記嵌合部材は、ゴムまたは樹脂製のオーリングで構成することができる。
また、前記嵌合部材は、前記ネジ部材の頭部の前記棒状部材と対向する面に一体的に形成されるようにしてもよい。
【００１０】
また、少なくとも一方の前記覆体の上面または下面には、他の棚モジュールを載置可能な載置部あるいは脚部を形成する台座部材が取り付けられるようにできる。
【００１１】
また、前記台座部材は、前記覆体の上面または下面において所定の間隔を置いて前記棒状部材と平行に配設される一対のレール状部材と、当該各レール状部材の両端部と前記覆体の両側端部とに係合されて固定する固定具とから構成されるようにできる。
【００１２】
また、前記２本の棒状部材の対向する内側の係合溝に両側端が係合され分離棚を構成する棚板部材を備えるようにしてもよい。
【００１３】
また、組み立てた状態の上記棚モジュールを２個以上積み重ねて、各モジュール間を固定具によって固定して収納棚を形成することができる。
【００１４】
また、垂直方向に前記棚モジュールを積み重ねた状態の複数の棚間において、各棚のモジュールの対向する側部にて前記覆体の外側に露出している係合溝に、板状の接合部材の端部をそれぞれ係合させて、前記複数の棚モジュールを水平方向に連結させることもできる。
【００１５】
また、前記板状の接合部材は、前記棚板部材で構成されるようにしてもよい。
【考案の効果】
【００１６】
請求項１に記載の考案によれば、容易に例えば正立方体（キューブ型）の棚モジュールを容易に組み立てることができる。また、例えば、各覆体をアクリル板で構成する場合において、同形状の棚モジュールを１枚のアクリル板で一体的に構成する場合に比して、半分以下のコストに抑えることができる。
【００１７】
また、請求項２に記載の考案によれば、前記棒状部材の両端部と前記各覆体の両側端部の窪み部によって、棒状部材の前記係合溝に前記覆体の端部を係合させた際に、連続した環状の溝を形成するがそれぞれ形成されるので、この溝に環状の嵌合部材を係合させることによって確実に固定することが可能となる。
【００１８】
また、請求項３に記載の考案によれば、環状突起を有する嵌合部材を前記連続した環状の溝に嵌合させて、ネジ部材を棒状部材のネジ穴に螺合させるだけの簡単な作業で覆体を固定することができる。
【００１９】
また、請求項４に記載の考案によれば、嵌合部材をゴムまたは樹脂製のオーリングで構成したことから締付具のコストを低廉化することができる。
【００２０】
また、請求項５に記載の考案によれば、締付部材が前記ネジ部材の頭部の前記棒状部材と対向する面に環状の突起部を一体的に形成して構成されているので、部品点数を減らすことができ、また締め付け作業を簡易化することができる。
【００２１】
また、請求項６に記載の考案によれば、台座部材が取り付けられることにより、覆体にキズを付けることなく、床上に載置したり、他の棚モジュールを積み重ねて載せることができる。
【００２２】
また、請求項７に記載の考案によれば、固定具により一対のレール状部材を覆体に固定することにより台座部材を容易に設けることができる。
【００２３】
また、請求項８に記載の考案によれば、棚板部材により内部に分離棚を備えた棚モジュールを構成することができる。
【００２４】
また、請求項９に記載の考案によれば、棚モジュールを２個以上積み重ねて固定することにより所望の高さの収納棚を容易に組み立てることができる。
【００２５】
また、請求項１０に記載の考案によれば、棚モジュールを板状の接合部材を介して水平方向に所望数だけ連結させたレイアウトの収納棚を容易に組み立てることができる。
【００２６】
また、請求項１１に記載の考案によれば、棚板部材を介して棚モジュールを水平方向に接続できるので、レイアウトの自由度が広がると共に、棚モジュール内の収納部に加えて、棚板部材の上に物品を載置することができるので収納性を向上させることもできる。
【考案を実施するための最良の形態】
【００２７】
以下、本考案の実施形態について図面を用いて説明する。
図１は実施形態に係る棚モジュールの構成を示す分解斜視図、図２は要部の組立状態を示す拡大斜視図、図３は組み立てられた棚モジュールの外観を示す斜視図、図４はその側面図、図５は正面図である。
【００２８】
図１において、１Ａ，１Ｂは、断面形状がコ字状の覆体であり、透明あるいは半透明のアクリル板等で構成される。なお、本実施形態において、覆体１Ａ，１Ｂの端部同士を合わせた状態の寸法は、幅，奥行き，高さともに略同じ長さとされている。したがって、棚モジュールＣ（Ｃ１，Ｃ２）は、組立後において、略正立方体（キューブ型）の外観を呈することとなる。
【００２９】
また、覆体１Ａ，１Ｂの両端部（下端部あるは上端部）の側方には、後述するオーリング４の側面部を係合可能な溝１００が穿設されている。
【００３０】
また、符号２Ａ，２Ｂは、アルミ材等を切削加工して形成される円柱形の棒状部材であり、前記各覆体１Ａ，１Ｂの端部を係合するための４つの係合溝２０ａ，２０ｂ，２０ｃ，２０ｄが円周方向に９０度ずつ変位させた長手方向にされている。なお、棒状部材２Ａ，２Ｂの長さは覆体１Ａ，１Ｂの側部の長さと同等とされている。
【００３１】
棒状部材２Ａ，２Ｂの両端面には、後述するスクリューネジ５が螺合されるネジ穴４０が穿設されている。
また、棒状部材２Ａ，２Ｂの両端面には、後述するオーリング４の側面部を係合可能な環状の溝３０が穿設されている。
【００３２】
図１中、符号３は、覆体１Ａ，１Ｂと同質のアクリル板等で構成される棚板部材である。この棚板部材３の端部にも、覆体１Ａ，１Ｂと同様の溝１０２が穿設されている。
【００３３】
そして、図２（ａ）のようにして、棒状部材２Ａ，２Ｂの係合溝２０ａと２０ｃに係合される覆体１Ａ，１Ｂの端部と、棒状部材２Ａ，２Ｂ間の対向する係合溝（図１では、２Ａ側の２０ｂと２Ｂ側の２０ｄ）に係合される棚板部材３の端部は、当該端部を締め付けて固定する締付具によって固定される。
【００３４】
本実施形態において、上記締付具は、ゴムまたは樹脂製のオーリング４と、スクリューネジ５によって構成されている。
【００３５】
そして、図２（ｂ）に示すように、覆体１Ａ，１Ｂの端部の溝１００および棒状部材２Ａ，２Ｂの端部の溝３０によって形成される環状溝にオーリング４の側部を填め込み、スクリューネジ５を棒状部材２Ａ，２Ｂのネジ穴４０に螺合させて締め付けることにより、覆体１Ａ，１Ｂおよび棚板部材３を棒状部材２Ａ，２Ｂに確実に固定することができる。
なお、用途や好みによって、棚板部材３を設けない仕様としてもよい（図５（ｂ）参照）。
【００３６】
このようにして組み立てられた状態においても、単体として収納具として機能するが、後述するように棚モジュールＣ（Ｃ１，Ｃ２）を複数個にわたって積み重ねたり、並設させて収納棚を構成するために、台座部材８がオプションとして付加される。
【００３７】
即ち、図１に示すように、覆体１Ｂの底面には脚部を形成する台座部材８が、覆体１Ａの上面には他の棚モジュールＣ（Ｃ１，Ｃ２）を載置可能な載置部を形成する台座部材８が、所定の間隔を置いて前記棒状部材２Ａ，２Ｂと平行に配設される。
【００３８】
台座部材８は、例えばアルミ材等を切削加工して形成されるレール状部材で構成され、覆体１Ａ，１Ｂの側部の長さと同等の長さとされる。
台座部材８の両端部には、固定部材６，７の係合部６ａ，７ａと係合可能な凸部が形成されている。また、台座部材８の両端面には、スクリューネジ５が螺合されるネジ穴８ａが穿設されている。
【００３９】
固定部材６には、覆体１Ｂの端部と係合する係合溝６ｂが設けられている。
また、固定部材７には、覆体１Ａの端部と係合する係合溝７ｂに加えて、棚モジュールＣ（Ｃ１，Ｃ２）の覆体１Ｂ’の端部と係合する係合溝７ｃが設けられている。
そして、各固定部材６，７を覆体１Ａ，１Ｂの端部と台座部材８の端部に係合させた状態で、スクリューネジ５を螺合させることにより、台座部材８が固定される。
【００４０】
また、覆体１Ｂの底面にあって脚部を形成する台座部材８の底部には、高さ調節可能（ガタツキ防止可能）なアジャスターボルト１０１が螺合される。
【００４１】
以上の組立作業により、図３，図４および図５（ａ）に示すように、外観的に正立方体（キューブ型）を呈する棚モジュールＣ１が構成される。この棚モジュールＣ１では、覆体１Ｂの上面および棚板部材（分離棚）３の上に物品を載置して収納することができる。
【００４２】
また、前述したように棚板部材３を省略した場合には、図５（ｂ）に示すような棚モジュールＣ２を構成することができ、棚モジュールＣ２に比して、大きな物品を載置することが可能となる。
【００４３】
次に、図６と図７を参照して、上記棚モジュールＣ１およびＣ２を適宜組み合わせた収納棚の構成例について述べる。
図６（ａ）に示す収納棚Ｔ１は、左側から１段の棚モジュールＣ２、２段重ねの棚モジュールＣ１、３段重ねの棚モジュールＣ２とＣ１の組み合わせを並設して構成されている。この収納棚Ｔ１は、階段状という斬新な外観を呈するため、商品等の陳列や展示においてユニークさを演出することができる。特に、覆体１Ａ，１Ｂや棚板部材３を種々の色合いのアクリル板等で構成することによりカラフルな状態を演出することが期待できる。
【００４４】
図６（ｂ）に示す収納棚Ｔ２は、例えば棚モジュールＣ１とＣ２を適宜組み合わせた３段重ねの棚を並設した構成となっている。この収納棚Ｔ２は、正面から見た場合に、正四角形状の棚モジュールＣ１，Ｃ２の組み合わせで、全体的に正四角形状の収納棚Ｔ２を形成する斬新な外観を呈するため、商品等の陳列や展示においてユニークさを演出することができる。また、収納棚Ｔ１と同様に、覆体１Ａ，１Ｂや棚板部材３を種々の色合いのアクリル板等で構成することによりカラフルな状態を演出することが期待できる。
【００４５】
図７に示す収納棚Ｔ３は、例えば棚モジュールＣ１とＣ２を適宜組み合わせた４段重ねの棚の左右に、棚板部材３を介して棚モジュールＣ１とＣ２を適宜組み合わせた３段重ねの棚を連結したものである。棚板部材３は、対向する棒状部材２Ａあるいは２Ｂの係合溝に棚板部材３の端部を係合させて固定される。
【００４６】
このようにして構成される収納棚Ｔ３は、従来の一般的な収納棚にはないユニークな外観を呈すると共に、棚モジュールＣ１，Ｃ２内に加えて、接続に用いられる各棚板部材３の上にも物品を載置できるので、収納性を向上させることができる。
【００４７】
以上本考案者によってなされた考案を実施形態に基づき具体的に説明したが、本考案は上記実施形態に限定されるものではなく、その要旨を逸脱しない範囲で変更可能である。
例えば、本実施形態では、締付具をオーリング４とスクリューネジ５で構成する場合について説明したが、これに代えて、図８，図９に示すような締付具を用いることも考えられる。
【００４８】
図８に示す締付具は、スクリューネジ５と、ゴムや樹脂によって構成される環状部材３００の一方の面に環状の突起部３００ｂを設け、中心にネジ挿通孔３００ｃを有する嵌合部材３００とを組み合わせたものである。
この締付具は、前出の図２（ｂ）において、嵌合部材３００がオーリング４の代わりに用いられる。本実施例では、嵌合部材３００の突起部３００ｂを棒状部材２Ａ（２Ｂ）側の環状の溝３０に嵌合させた状態で、鍔状部３００ａを指で押さえるだけで仮保持することができるため、スクリューネジ５を螺合させる作業を行い易くすることができるという効果がある。
【００４９】
また、図９に示す締付部材は、スクリューネジ４００の頭部４００ａの棒状部材２Ａ（２Ｂ）と対向する面に、環状の突起部４００ｃを一体的に設けたものである。
前出の図２（ｂ）において、この締付部材３００をオーリング４とスクリューネジ５の代わりに用いた場合には、スクリューネジ４００の雄ネジ部４００ｂを棒状部材２Ａ（２Ｂ）のネジ穴４０に螺合させるだけで、突起部４００ｃが環状の溝３０に嵌合される。したがって、部品点数を減らすことができると共に、覆体１Ａ，１Ｂの固定作業を容易且つ迅速に行うことができる。
【００５０】
また、上記実施形態では、台座部材８を２本のレール部材を並設して構成する場合について述べたがこれに限らず、例えば図１０，図１１に示すような十字形の台座部材５００を用いるようにしてもよい。この場合、台座部材５００の前後の端部５００ａを各１個の固定部材７とスクリューネジ５によって覆体１Ａに固定する。この台座部材５００を用いることにより、取付作業がより容易になると共に、当該台座部材５００に載置される他の棚モジュールＣ３の安定性を高めることができる。また、図１１の正面図（ａ）および側面図（ｂ）に示すように、台座部材５００を用いた棚モジュールＣ３を積み上げて収納棚Ｔ４を構成した場合に、前記棚モジュールＣ１，Ｃ２を組み合わせた収納棚（図６，図７）とは若干異なる外観を呈し、デザイン性を多様化させることができる。
【００５１】
また、十字形の台座部材５００に代えて、図１２に示すようなＨ字形の台座部材５０１を用いることも考えられる。
なお、台座部材５００、５０１はアルミ等の金属のほか、アクリル樹脂等で成型することもできる。
【００５２】
また、覆体１Ａ，１Ｂや棚板３はアクリル樹脂に限らず他のプラスチックやアルミ等の金属或いは木材で構成することも考えられる。
また、図１３に示すように、覆体１Ｂの底面に配設される４箇所の台座部材８のアジャスターボルト１０１に代えて、転動自在なキャスター１０２を設けるようにしてもよい。
【００５３】
また、図１４（ａ），（ｂ）に示すように、覆体１Ａ，１Ｂとの間に、接続用板部材１０３を棒状部材２Ａ，オーリング４およびスクリューネジ５を用いて所望枚数（図１４では左右に１枚ずつ）介装、固定させて棚モジュールＭ１を構成することも考えられる。これにより、棚モジュールをキューブ形以外とすることも可能となり、収納棚の構成のバリエーションをより一層多様化させることができる。
【００５４】
また、図１５に示すように、４隅に棒状部材２Ａ（２Ｂ）を用い、各棒状部材２Ａ（２Ｂ）間の係合溝に棚板部材３を係合させて、キューブ型の棚モジュールＣ４を構成することもできる。
【００５５】
さらに、図１６に示すように、上記棚モジュールＣ４を積み上げたり、水平方向に接続させることにより収納棚Ｔ５を形成することもできる。この際に、棒状部材２Ａ（２Ｂ）をモジュール間で共有させて棚板部材３を係合溝に係合させることにより、各棚モジュールＣ４間を固定することができる。
【００５６】
また、図６，図７，図１０に示した棚モジュールＣ１，Ｃ２，Ｃ３や棚板部材３を組み合わせた収納棚Ｔ１〜Ｔ５等は、単なる例示であり、用途に応じて自由にレイアウトした収納棚を構成することができることはいうまでもない。
【００５７】
また、図示は省略するが、棚板部材３に代えて、より幅の狭い板状の接合部材に用い、その接合部材を隣接する棒状部材２Ａ，２Ｂの係合溝２０ｂまたは２０ｄに係合させることにより、図６（ａ），（ｂ）に示すようなレイアウトを維持しつつ水平方向の固定を行うことができる。
【図面の簡単な説明】
【００５８】
【図１】実施形態に係る棚モジュールの構成を示す分解斜視図である。
【図２】要部の組立状態を示す拡大斜視図である。
【図３】組み立てられた棚モジュールの外観を示す斜視図である。
【図４】組み立てられた棚モジュールの側面図である。
【図５】組み立てられた棚モジュールの正面図である。
【図６】複数の棚モジュールを組み合わせて構成した収納棚の例を示す正面図である。
【図７】複数の棚モジュールと棚板部材を組み合わせて構成した収納棚の例を示す正面図である。
【図８】締付部材の他の構成例を示す斜視図（ａ）と断面図（ｂ）である。
【図９】締付部材の他の構成例を示す断面図である。
【図１０】他の実施形態に係る棚モジュールの構成を示す分解斜視図である。
【図１１】他の実施形態に係る棚モジュールを組み合わせて構成した収納棚の例を示す正面図および側面図である。
【図１２】他の台座部材を示す平面図（ａ）と正面図（ｂ）である。
【図１３】組み立てられた他の棚モジュールの側面図である。
【図１４】組み立てられた他の棚モジュールの正面図（ａ）および側面図（ｂ）である。
【図１５】組み立てられた他の棚モジュールを示す斜視図である。
【図１６】他の収納棚の例を示す正面図である。
【図１７】従来の組立式収納棚の構成例を示す斜視図である。
【符号の説明】
【００５９】
Ｃ１，Ｃ２，Ｃ３，Ｃ４  棚モジュール
１Ａ，１Ｂ  覆体
２Ａ，２Ｂ  棒状部材
３  棚板部材
４  オーリング
５  スクリューネジ
６，７  固定部材
８  台座部材（レール状部材）
８ａ  ネジ穴
２０ａ〜２０ｄ  係合溝
３０  オーリングの係合溝
４０  ネジ穴
１００，１０２  係合溝
１０１  アジャスターボルト
１０２  キャスター
１０３  接続用板部材
３００  締付部材
３００ａ  鍔状部
３００ｂ  環状の突起部
３００ｃ  ネジ挿通孔
４００  スクリューネジ
４００ｃ  環状の突起部
５００    十字形の台座部材
５０１    Ｈ字形の台座部材    
Ｔ１〜Ｔ５  収納棚
【図１】
0003106908.tif 000003
【図２】
0003106908.tif 000004
【図３】
0003106908.tif 000005
【図４】
0003106908.tif 000006
【図５】
0003106908.tif 000007
【図６】
0003106908.tif 000008
【図７】
0003106908.tif 000009
【図８】
0003106908.tif 000010
【図９】
0003106908.tif 000011
【図１０】
0003106908.tif 000012
【図１１】
0003106908.tif 000013
【図１２】
0003106908.tif 000014
【図１３】
0003106908.tif 000015
【図１４】
0003106908.tif 000016
【図１５】
0003106908.tif 000017
【図１６】
0003106908.tif 000018
【図１７】
0003106908.tif 000019